(57)【要約】【課題】歯間ブラシの一部を包装材によって構成することで簡素化を図り、無駄な材料と工数の削減によって最終製品の価格を大幅に低減することができ、これにより、極めてコンパクト且つ衛生的に携帯することが可能な使い捨ての歯間ブラシを提供する。【解決手段】屈曲変形可能な軸部１２の一端側に植毛部１１を設けたブラシ本体１０と、このブラシ本体１０を被覆する熱接着可能なシート状包装材２０とを備え、シート状包装材２０は、ブラシ本体１０の植毛部１１を収容する中空状の第１熱接着部２１と、ブラシ本体の軸部１２の他端側を保持する第２熱接着部２２と、第１熱接着部２１を第２熱接着部２２から除去するための分離手段２３とを有し、シート状包装材２０の第１熱接着部２１を除去した後、残りの第２熱接着部２２が、ブラシ本体１０の把持部を形成する構成となっている。【選択図】図１
2011160917.tif 000002
【特許請求の範囲】
【請求項１】
屈曲変形可能な軸部の一端側に植毛部を設けたブラシ本体と、このブラシ本体を被覆する熱接着可能なシート状包装材とを備え、
前記シート状包装材は、前記ブラシ本体の植毛部を収容する中空状の第１熱接着部と、前記ブラシ本体の軸部の他端側を保持する第２熱接着部と、前記第１熱接着部を第２熱接着部から除去するための分離手段とを有し、
前記シート状包装材の第１熱接着部を除去した後、残りの前記第２熱接着部が、前記ブラシ本体の把持部を形成する、ことを特徴とする歯間ブラシ。
【請求項２】
裏表２枚の前記シート状包装材で前記ブラシ本体を被覆し、前記分離手段を境にして、前記第１熱接着部は、前記ブラシ本体の植毛部を回避するように裏表２枚の前記シート状包装材の周縁部を略コ字形に熱接着した構成とし、一方、前記第２熱接着部は、前記ブラシ本体の軸部の他端側を挟持するように裏表２枚の前記シート状包装材の全面を熱接着した構成とし、前記第１熱接合部を除去する前の歯間ブラシ全体を薄いシート状とした、請求項１記載の歯間ブラシ。
【請求項３】
前記シート状包装材とプラスチック板とを互いに熱接着したブリスターパックによって前記ブラシ本体を被覆し、前記分離手段を境にして、前記第１熱接着部のプラスチック板を膨出させることで、前記ブラシ本体の植毛部を収容する中空部を形成した、請求項１記載の歯間ブラシ。
【請求項４】
前記シート状包装材の分離手段を、ミシン目又は切欠部とした請求項１〜３のいずれか１項に記載した、歯間ブラシ。
【請求項５】
一連の前記シート状包装材によって複数の前記ブラシ本体を被覆し、一連の前記シート状包装材を前記ブラシ本体ごとに分離可能とし、全体を複数本の前記歯間ブラシの連成体とした、請求項１〜４のいずれか１項に記載した歯間ブラシ。
【請求項６】
前記シート状包装材に、文字、記号、数字、図形、模様又は色彩を表示した、請求項１〜５のいずれか１項に記載した歯間ブラシ。
【請求項７】
一連の前記シート状包装材によって複数の前記ブラシ本体を被覆した後、前記シート状包装材を前記ブラシ本体ごとに分離し又は分離可能とし、同時に複数本の歯間ブラシを製造することを特徴とする、請求項１〜６のいずれか１項に記載した歯間ブラシの製造方法。
【発明の詳細な説明】
【技術分野】
【０００１】
本発明は、包装を含む製品全体の構成を極めて簡素化することができ、材料及び工数の削減によって最終製品の価格を大幅に低減することが可能であり、携帯性に優れ、使い捨てや販促品に好適な歯間ブラシ及びその製造方法に関する。
【背景技術】
【０００２】
近年、口腔衛生用品として歯間ブラシが身近なものとなっている。歯間ブラシは、歯間や歯と歯肉間の汚れを清掃する道具であり、植毛されている部分を歯間又は歯と歯肉間に入れて汚れを除去することができる。
【０００３】
従来の一般的な歯間ブラシを図５（ａ）〜（ｃ）に示す。同図（ａ）及び（ｂ）において、従来の歯間ブラシ１００は、金属製ワイヤからなる軸部１１２の一端側に植毛部１１１を設けたブラシ本体１１０を有し、軸部１１２の他端側にプラスチック製のハンドル１２０を一体成形した構成となっていた。軸部１１２は屈曲自在となっており、例えば、前歯の間を清掃するときは軸部１１２を真っ直ぐな状態のままで使用し、奥歯の間を清掃するときは軸部１１２を曲げて使用していた。
【０００４】
また、この歯間ブラシ１００には、植毛部１１１を保護するための同じくプラスチック製のキャップ１３０が付属しており、使用時にキャップ１３０をハンドル１２０の後端部に装着することで、ハンドル１２０の長さを延長することができた。
【０００５】
このような歯間ブラシ１００は、同図（ｃ）に示すように、複数本の歯間ブラシ１００、１００、１００・・・をブリスターパック１４０内に密封してセット状態とし、これを更に包装箱１５０内に収納して販売されていた。
【０００６】
一方、従来の簡素化された歯間ブラシを図６（ａ）及び（ｂ）に示す。同図（ａ）において、歯間ブラシ２００は、薄いプラスチック板で軸部２１１と把持部２１２とを連成した板状本体２１０を有し、軸部２１１の先端側にゴム状ブラシ２２０を設けた構成となっていた。このような歯間ブラシ２００は、同図（ｂ）に示すように、複数本の歯間ブラシ２００、２００、２００…を単一のブリスターパック２３０内に纏めて密封した状態で販売されていた。
【先行技術文献】
【特許文献】
【０００７】
【特許文献１】実公平７−４６１７２号公報
【特許文献２】特開平２００９−４８９号公報
【特許文献３】意匠登録第９３５３５６号公報
【特許文献４】意匠登録第１１８８９６８号公報
【特許文献５】意匠登録第１１８８９７１号公報
【特許文献６】意匠登録第１１８８９７２号公報
【特許文献７】意匠登録第１１８９３９５号公報
【発明の概要】
【発明が解決しようとする課題】
【０００８】
ところが、図５（ａ）〜（ｃ）に示す歯間ブラシ１００は、プラスチック製のハンドル１２０及びキャップ１３０を備えた構成となっており、しっかりした造りの製品であるが、歯間ブラシ１００の製造から包装までの過程で多くの材料と工数とを要し、最終製品の価格が高いという問題があった。歯間ブラシ１００は、製品の立派な造りや高価格のために、３〜４日の繰り返し使用を想定しており、爪楊枝のように気軽に使い捨てることはできなかった。特に、歯間ブラシ１００自体にキャップ１３０を備えているにもかかわらず、全体をブリスターパック１４０で包装し、これを更に包装箱１５０に収納しており、製品と包装に余分な材料と工数とを要していた。
【０００９】
一方、図６（ａ）及び（ｂ）に示す歯間ブラシ２００は、軸部２１１と把持部２１２とを連成した板状本体２１０の簡素化及びコンパクト化が図られていたものの、プラスチック製の軸部２１１を屈曲させることができないという問題があった。また、簡素化したとはいっても、歯間ブラシ２００の製造とは別にブリスターパック２３０の包装に材料と工数を要し、これらのコストが最終製品の価格に含まれていた。特に、複数本の歯間ブラシ２００、２００、２００…を単一のブリスターパック２３０内に纏めて密封した状態で販売されていたので、使用者は、１本の歯間ブラシ２００を衛生的に携帯することができなかった。
【００１０】
本発明は、上記問題点に鑑みてなされたものであり、歯間ブラシの一部を包装材によって構成することで簡素化を図り、無駄な材料と工数の削減によって最終製品の価格を大幅に低減することができ、これにより、極めてコンパクト且つ衛生的に携帯することが可能な使い捨ての歯間ブラシの提供を目的とする。
【課題を解決するための手段】
【００１１】
上記目的を達成するために、本発明の歯間ブラシは、屈曲変形可能な軸部の一端側に植毛部を設けたブラシ本体と、このブラシ本体を被覆する熱接着可能なシート状包装材とを備え、前記シート状包装材は、前記ブラシ本体の植毛部を収容する中空状の第１熱接着部と、前記ブラシ本体の軸部の他端側を保持する第２熱接着部と、前記第１熱接着部を第２熱接着部から除去するための分離手段とを有し、前記シート状包装材の第１熱接着部を除去した後、残りの前記第２熱接着部が、前記ブラシ本体の把持部を形成する構成としてある。
【００１２】
上記構成からなる本発明の歯間ブラシによれば、シート状包装材が、歯間ブラシのキャップ及び把持部を構成するので、歯間ブラシの構成要素として別途、キャップ及び把持部を設ける必要がない。これにより、従来、キャップ及び把持部に要していた材料及び工数を省略することができ、包装を含めた歯間ブラシ全体が極めて簡素な構成となり、最終製品の価格を大幅に低減することができる。
【００１３】
また、最終製品である歯間ブラシは、シート状包装材によって１本ずつ密封されているので、必要な本数だけコンパクト且つ衛生的に携帯することが可能であり、軸部を自由に屈曲させて使用することもできる。
【００１４】
このような本歯間ブラシは、簡素且つ安価であるが故に、使用者が躊躇することなく使い捨てることができ、また、歯間ブラシが１本ずつ包装されているのでそのまま流通させても衛生的であり、例えば、飲食店に爪楊枝のように備えて販促品として配布することが可能である。
【００１５】
好ましくは、裏表２枚の前記シート状包装材で前記ブラシ本体を被覆し、前記分離手段を境にして、前記第１熱接着部は、前記ブラシ本体の植毛部を回避するように裏表２枚の前記シート状包装材の周縁部を略コ字形に熱接着した構成とし、一方、前記第２熱接着部は、前記ブラシ本体の軸部の他端側を挟持するように裏表２枚の前記シート状包装材の全面を熱接着した構成とし、前記第１熱接合部を除去する前の歯間ブラシ全体を薄いシート状とした構成としてある。
【００１６】
上記構成によれば、シート状包装材に密封された本歯間ブラシ全体を薄いシート状とすることができ、例えば、ポケットに入れ、本の間にしおりとして挟み、財布のカード入れに挿し込み、又は煙草の箱にしまう等、様々な態様で携帯することができる。また、本歯間ブラシを販促品として無料配布する場合は、従来の爪楊枝と同様にテーブルに備付け、又は箸袋の中に収納することも可能である。さらに、どの態様で携帯又は配布した場合でも、歯間ブラシの衛生はシート状包装材によって確保される。
【００１７】
好ましくは、前記シート状包装材とプラスチック板とを互いに熱接着したブリスターパックによって前記ブラシ本体を被覆し、前記分離手段を境にして、前記第１熱接着部のプラスチック板を膨出させることで、前記ブラシ本体の植毛部を収容する中空部を形成した構成とする。
【００１８】
上記構成によれば、ブリスターパックを介してブラシ本体の植毛部を視認することができ、包装された製品が歯間ブラシであることを一見して認識させることができる。また、第２熱接着部に相当するブリスターパックのプラスチック板が、歯間ブラシの把持部の剛性を高め、部品点数や材料を省略したにもかかわらず、歯間ブラシの使いやすさと耐久性を向上させることが可能となる。
【００１９】
好ましくは、前記シート状包装材の分離手段を、ミシン目又は切欠部とした構成とする。このような構成によれば、使用者は、例えば、シート状包装材の第１及び第２熱接着部をそれぞれ把持し、シート状包装材の第１熱接着部を引っ張ることで、第２熱接着部から容易に除去することができ、本歯間ブラシを使用することができる。
【００２０】
好ましくは、一連の前記シート状包装材によって複数の前記ブラシ本体を被覆し、一連の前記シート状包装材を前記ブラシ本体ごとに分離可能とし、全体を複数本の前記歯間ブラシの連成体とした構成とする。
【００２１】
上記構成によれば、複数本の歯間ブラシを構成するシート状包装材を一連としたことにより、全体としてシート状包装材の面積を大きくすることができ、製品の説明、宣伝広告などの多くの情報表示が可能となる。また、使用者は、一連のシート状包装材を任意に分離して、必要な本数の歯間ブラシを纏めて携帯することができる。
【００２２】
好ましくは、前記シート状包装材に、文字、記号、数字、図形、模様又は色彩を表示した構成とする。このような構成によれば、製品名、製品の材料、製品の使用方法、製造元の情報、価格、宣伝広告などの情報をシート状包装材に表示し、本歯間ブラシを商品として販売したり、販促品として飲食店等で無料配布したりすることができる。
【００２３】
また、上記目的を達成するために、本発明の歯間ブラシの製造方法は、一連の前記シート状包装材によって複数の前記ブラシ本体を被覆した後、前記シート状包装材を前記ブラシ本体ごとに分離し又は分離可能とし、同時に複数本の歯間ブラシを製造するようにしてある。
【００２４】
上記方法によれば、軸部の一端側に植毛するブラシ本体の製造工程と、これらブラシ本体の包装工程とによって、一度に大量の本歯間ブラシを短時間で製造することができ、材料、部品点数及び工数を大幅に削減し、製造コストと最終製品の価格とを低減することができる。
【発明の効果】
【００２５】
本発明の歯間ブラシによれば、歯間ブラシの一部を包装材によって構成することで簡素化を図り、無駄な材料と工数の削減によって最終製品の価格を大幅に低減することができる。これにより、極めてコンパクト且つ衛生的に携帯することが可能な使い捨ての歯間ブラシを提供することが可能となる。
【００２６】
また、本発明の歯間ブラシの製造方法によれば、軸部の一端側に植毛するブラシ本体の製造工程と、これらブラシ本体の包装工程とによって、一度に大量の本歯間ブラシを短時間で製造することができる。これにより、材料、部品点数及び工数を大幅に削減し、製造コストと最終製品の価格とを低減することができる。
【図面の簡単な説明】
【００２７】
【図１】本発明の第１実施形態に係る歯間ブラシを示すものであり、同図（ａ）は平面図、同図（ｂ）は側面図、同図（ｃ）は使用時の状態の平面図である。
【図２】上記歯間ブラシの各製造工程を示すフローチャートである。
【図３】同図（ａ）〜（ｄ）は図２の各製造工程を示す説明図である。
【図４】同図（ａ）〜（ｄ）はそれぞれ本発明の第２〜５実施形態に係る歯間ブラシを示す平面図である。
【図５】従来の一般的な歯間ブラシを示すものであり、同図（ａ）は携帯時の状態の側面図、同図（ｂ）は使用時の状態の側面図、同図（ｃ）は流通時の状態の平面図である。
【図６】従来の簡素化された歯間ブラシを示すものであり、同図（ａ）は使用時の状態の側面図、同図（ｂ）は流通時の状態の平面図である。
【発明を実施するための形態】
【００２８】
まず、本発明の第１実施形態に係る歯間ブラシについて、図１（ａ）〜（ｃ）を参照しつつ説明する。
【００２９】
［歯間ブラシの構成］
同図（ａ）及び（ｂ）において、本実施形態の歯間ブラシ１は、ブラシ本体１０を短冊状のシート状包装材２０で被覆した構成となっている。全体の大きさは、指での把持を容易にするため、例えば、図中の短辺を１ｃｍ、長辺を７ｃｍとすることができるが、歯間ブラシ１の外形や寸法は、特に限定されるものではない。
【００３０】
ブラシ本体１０は、金属製ワイヤからなる軸部１２の一端側に植毛部１１を設けた構成となっており、軸部１２を屈曲させることで植毛部１１を自由な角度に曲げることができる。軸部１２には、例えば、超硬ステンレスワイヤを用いることで強度と細さを両立させることができる。
【００３１】
一方、本実施形態のシート状包装材２０は、裏表２枚のシート状包装材２０Ａ、２０Ｂを互いに熱接着した構成としてあり、長手方向の中央に略三角形状の切欠部２３が設けてある。この切欠部２３を境界に、シート状包装材２０は、図中の左右方向に分離可能となっている。以下の説明において、切欠部２３を基準にして、左側のシート状包装材２０の部分を第１熱接着部２１といい、右側のシート状包装材２０の部分を第２熱接着部２２という。
【００３２】
本実施形態では、シート状包装材２０の材料として、PET、ポリエステル、ポリエチレン、ポリプロピレン等のプラスチックフィルムにアルミ箔をラミネートしたハイバリア素材を用いており、ブラシ本体１０の衛生を確保するとともに劣化を防止している。第１熱接着部２１は、裏表２枚のシート状包装材２０Ａ、２０Ｂの周縁部３辺のみを図中逆コ字型に熱接着してあり、植毛部１１を収容する中空部２１ａを形成した袋状となっている。一方、第２熱接着部２２は、その全面を熱接着してあり、ブラシ本体１０の他端側の軸部１２を、裏表２枚のシート状包装材２０Ａ、２０Ｂでしっかりと挟持する一枚の板片状となっている（第１及び第２熱接着部２１、２２の熱接着部分については、図１（ｃ）の符号２４を付したハッチングを参照）。
【００３３】
ここで、本実施形態における「熱接着」とは、互いの接合面を熱で接合させる手段を広く含み、例えば、接着剤の塗布面を熱で溶かして接合すること、接着剤を使用せずに樹脂どうしを熱で融着すること、又は熱と圧力を同時に加えて塑性変形で圧着すること等が含まれる。
【００３４】
［歯間ブラシの使用方法］
次に、上記構成からなる歯間ブラシ１の使用方法について説明する。まず、図１（ａ）及び（ｂ）に示す未開封状態において、第１熱接着部２１の把持部２１ｂと、第２熱接着部２２とをそれぞれ把持し、これら第１及び第２熱接着部２１、２２を互いに反対方向へ引っ張る。すると、同図（ｃ）に示すように、切欠部２３の箇所でシート状包装材２０が切断され、袋状の第１熱接着部２１を、第２熱接着部２２から簡単に除去することができる。
【００３５】
そして、第１熱接着部２１を除去すると、ブラシ本体１０の一端側が外部に露出するとともに、第２熱接着部２２がそのまま板片状の把持部を形成し、歯間ブラシ１が使用可能な開封状態となる。その後、使用者は、軸部１２を真っ直ぐのまま、又は任意の角度に屈曲させて歯間ブラシ１を使用することができる。
【００３６】
［歯間ブラシの製造方法］
次に、歯間ブラシ１の製造方法について、図２及び図３（ａ）〜（ｄ）を参照しつつ説明する。まず、図２のステップＳ１において、ブラシ本体１０の製造工程を実施する。この工程では、図３（ａ）に示すように、２本の細い金属線１２ａ、１２ｂを撚り合わせてワイヤ状の軸部１２を形成し、軸部１２の撚り合わせの隙間にナイロン等の繊維状物を挟み込んで放射状の植毛部１１とする。これによりブラシ本体１０が完成する。
【００３７】
次いで、図２のステップＳ２に進み、ブラシ本体１０の配置工程を実施する。この工程では、図３（ｂ）に示すように、一連のシート状包装材２０Ａ又は２０Ｂ上に、図示しないパーツフィーダを用いて、多数本のブラシ本体１０、１０、１０・・・をマトリックス状に等間隔に配置する（同図（ｂ）では、裏側のシート状包装材２０Ｂ上に各ブラシ本体１０を配置している）。
【００３８】
その後、図２のステップＳ３に進み、シート状包装材２０の熱接着工程を実施する。この工程では、図３（ｃ）に示すように、一連のシート状包装材２０Ｂ上に、同じく一連のシート状包装材２０Ａを被せ、各ブラシ本体１０を間に介在させた状態で、シート状包装材２０Ａ及び２０Ｂを図示しないヒートシーラーで互いに熱接着する。このときの熱接着部分を符号２４のハッチングで示す。このハッチングが示すように、各ブラシ本体１０の植毛部１１を含む一端側は熱接着せず、当該箇所を除く全体を熱接着している。これにより、シート状包装材２０Ａ及び２０Ｂの間に、各植毛部１１を収容する中空部２１ａ、２１ａ、２１ａ・・・が形成される。
【００３９】
最後に、図２のステップＳ４に進み、各歯間ブラシ１、１、１・・・の分離工程を実施する。この工程では、図３（ｄ）に示すように、各ブラシ本体１０の中間且つ両側に略三角形状の切欠部２３、２３、２３・・・をそれぞれ打ち抜くとともに、一連のシート状包装材２０を各ブラシ本体１０ごとに切断して分離する。切断線を符号２５の点線で示す。この場合、切断線２５に沿ってシート状包装材２０を実際に切断してもよいし、あるいは切断線２５に沿って事後的に切断可能なミシン目を設けてもよい。いずれの場合でも、切断線２５によって分離された又は分離可能な多数の歯間ブラシ１、１、１・・・が製造される。
【００４０】
上述のように、歯間ブラシ１の製造工程は、従来の製品製造工程に相当するステップＳ１と、従来の包装工程に相当するステップＳ２〜Ｓ４とからなる。このような歯間ブラシ１の製造工程Ｓ１〜Ｓ４を、従来の歯間ブラシの製造から包装までの各工程と比較すれば、歯間ブラシ１が、極めて効率よく安価に大量生産可能であることを容易に理解できる。
【００４１】
［歯間ブラシの作用効果］
以上説明したように、本実施形態に係る歯間ブラシ１によれば、シート状包装材２０が歯間ブラシ１のキャップ及び把持部を構成するので、歯間ブラシ１の構成要素としてキャップ及び把持部を別途設ける必要がない。これにより、従来、キャップ及び把持部に要していた材料及び工数を省略することができ、包装を含めた歯間ブラシ１全体が極めて簡素な構成となり、最終製品の価格を大幅に低減することができる。この結果、使用者が躊躇することなく使い捨てることのできる簡素且つ安価な歯間ブラシ１が実現する。
【００４２】
また、シート状包装材２０に密封された歯間ブラシ１全体を薄いシート状とすることができ、例えば、ポケットに入れ、本の間にしおりとして挟み、財布のカード入れに挿し込み、又は煙草の箱にしまう等、様々な態様で携帯することができる。また、歯間ブラシ１を販促品として無料配布する場合は、従来の爪楊枝と同様にテーブルに備付け、又は箸袋の中に収納することも可能である。さらに、どの態様で携帯又は配布した場合でも、歯間ブラシ１の衛生はシート状包装材２０によって確保される。
【００４３】
なお、本発明の歯間ブラシは、上述した第１実施形態に限定されるものではない。例えば、第１実施形態の歯間ブラシ１では、シート状包装材２０の分離手段を切欠部２３としたが、これに限定されるものではない。図４（ａ）に示す第２実施形態の歯間ブラシ２のように、シート状包装材２０の分離手段をミシン目３１としてもよい。
【００４４】
また、図４（ｂ）に示す第３実施形態の歯間ブラシ３のように、シート状包装材２０の第１及び第２熱接着部２１、２２に、それぞれ面積の広い把持部３２、３３を設けてもよい。このような把持部３２、３３を設けることによって、第１熱接着部２１を第２熱接着部２２からより容易に分離することが可能となる。
【００４５】
さらに、図４（ｃ）に示す第４実施形態の歯間ブラシ４のように、第１及び第２熱接着部３４、３５自体の面積を広くして、全体をそれぞれ把持部３４、３５としてもよい。本歯間ブラシ４では、第１及び第２熱接着部３４、３５をそれぞれ円形とし、二つの円形がほぼ線接触して接合部の幅が狭くなるようなデザインとし、この接合部を容易に切断可能な分離手段３６としている。
【００４６】
このように、本歯間ブラシの外観はシート状包装材２０によって形成されるので、シート状包装材２０の輪郭形状を自由に変更することができ、また、シート状包装材２０の表裏面には、文字、記号、数字、図形、模様又は色彩などの情報や外観構成要素を表示することが可能である。
【００４７】
したがって、本歯間ブラシは、デザインの自由度が大きく、例えば、動物、植物、魚、アニメキャラクター、果実、アイスクリームやキャンディ等の食べ物、自動車や携帯電話等の工業製品又は商標など、あらゆるものをモチーフにして、その外観を二次元的にデザインすることができる。このようなデザインの自由度が、本歯間ブラシの利用価値を増大させ、有償の商品又は無償の販促品としての需要を喚起し、産業の発達に寄与することになる。
【００４８】
但し、本歯間ブラシは、裏表２枚のシート状包装材２０Ａ、２０Ｂを熱接着する構成に限定されるものではない。例えば、図４（ｄ）に示す第５実施形態の歯間ブラシ５のように、プラスチック板２０Ｃとシート状包装材２０Ｄとを互いに熱接着したブリスターパック４０によって、ブラシ本体１０を被覆してもよい。ブリスターパック４０の中央には、第１熱接着部３７を第２熱接着部３８から除去するための分離手段３１を設け、この分離手段３１を境にして、第１熱接着部３７のプラスチック板２０Ｃを膨出させることで、ブラシ本体１０の植毛部１１を収容するための中空部３７ａを形成する。
【００４９】
上記構成からなる歯間ブラシ５によれば、ブリスターパック４０のプラスチック板２０Ｃを介してブラシ本体１０の植毛部１１を視認することができ、包装された製品が歯間ブラシであることを一見して認識させることができる。また、第２熱接着部３８に相当するプラスチック板２０Ｃが、歯間ブラシ５の把持部の剛性を高め、部品点数や材料を省略したにもかかわらず、歯間ブラシ５の使いやすさと耐久性を向上させることが可能となる。
【符号の説明】
【００５０】
１  歯間ブラシ
１０  ブラシ本体
１１  植毛部
１２  軸部
２０、２０Ａ、２０Ｂ  シート状包装材
２１  第１熱接着部
２１ａ  中空部
２１ｂ  把持部
２２  第２熱接着部
２３  切欠部（分離手段）
２４  熱接着部
２５  切断線
２  歯間ブラシ
３１  ミシン目（分離手段）
３  歯間ブラシ
３２  第１熱接着部
３３  第２熱接着部
４  歯間ブラシ
３４  第１熱接着部
３５  第２熱接着部
３６  分離手段
５  歯間ブラシ
２０Ｃ  プラスチック板
２０Ｄ  シート状包装材
４０  ブリスターパック
３７  第１熱接着部
３８  第２熱接着部
【図１】
2011160917.tif 000003
【図２】
2011160917.tif 000004
【図３】
2011160917.tif 000005
【図４】
2011160917.tif 000006
【図５】
2011160917.tif 000007
【図６】
2011160917.tif 000008